(57)【要約】【課題】各機能を減殺させることない多機能飲食具の提供【解決手段】スプーン機能と、フォーク機能と、ナイフ機能を持たせた多機能飲食具であって、フォーク部２の中腹から後方にスプーン部４を形成し、その側面のいずれか一方を側方に膨出させて膨出部４０を形成し、側方からのスプーンの掬い、飲む機能を持たせる一方、スプーンの膨出部とは反対の側面にフォーク部２の先端からスプーン部４の側方に沿って少なくともスプーン部中腹に至るナイフ部３を形成したことを特徴とする。好ましくは、フォーク櫛歯２０、２０間に凸凹２０ａを設け、フォーク部２に充分な掻き取り、絡める機能を持たせる。【選択図】図１
0003215305.tif 000002
【実用新案登録請求の範囲】
【請求項１】
フォークにスプーン機能と、ナイフ機能を持たせた飲食具であって、フォーク部２の中腹から後方にスプーン部４を形成し、その側面のいずれか一方を側方に膨出させて膨出部４０を形成し、側方からのスプーンの掬い、飲む機能を持たせる一方、スプーンの膨出部とは反対の側面にフォーク部２の先端からスプーン部４の側方に沿って少なくともスプーン部中腹に至るナイフ部３を形成したことを特徴とする多機能飲食具。
【請求項２】
フォーク櫛歯２０、２０間に凸凹部２０ａを設け、フォーク部２に掻き取り機能を持たせる請求項１記載の多機能飲食具。
【請求項３】
スプーン部４からのフォーク部２の突出量Ｌ１がスプーン部長手方向全長Ｌ０の２分の１以上である請求項１記載の多機能飲食具。
【請求項４】
スプーン部４の側方から膨出する膨出部４０の湾曲率がスプーン部の湾曲率より大きくなって連続し、対称中心線Ｃに対する対称巾Ｗ０に対し膨出巾Ｗ１がその３分の１以上である請求項１記載の多機能飲食具。
【請求項５】
金属鍛造品又はプラスチック射出成形品である請求項１〜４のいずれかに記載の多機能飲食具。
【考案の詳細な説明】
【技術分野】
【０００１】
本考案はスプーン機能、フォーク機能及びナイフ機能を持った多機能飲食具に関するものである。
【背景技術】
【０００２】
人には片手だけを使う場合、又、片手しか使えない場合がある。その場合には箸は便利である。しかし、箸の用途は挟む、切る、刺すなど多用途に使用できるが飲む動作を補助する機能はない。そこで、スプーン用途は掬い取ることだがスプーンに加工を施すことにより、スプーン本体の掬う機能に、食べ物を選択できるようスプーン先端に突き出した形状のフォーク部を設けるとともに、その下部外周片方に物の切断するために刃を断続的に設けた切断部の加工を施し、スプーン本体にこれらの加工を施すことにより、片手でもスプーン機能に、フォーク機能を持たせ、必要により、切断機能を持たせる多機能スプーンとすることが提案されている（特許文献１）。
【先行技術文献】
【特許文献】
【０００３】
【特許文献１】実用新案登録第３１９６８１１号
【考案の概要】
【考案が解決しようとする課題】
【０００４】
しかしながら、スプーンに多機能を持たせると、通常、各機能が相互に減殺される場合が多い。例えば、スプーンに先端に突き出すフォーク部の形状を形成すると、そのフォーク部がスプーン先端から掬い取った液を飲む機能を減殺する。また、スプーン先端のみにフォーク部を設けるだけではフォーク部の絡め捕る機能が減殺されるので、からめとり部を設ける必要があるが、からめとり部を設けると、使い勝手の機能上先端より物を切断するナイフ機能が減殺されるという問題が生ずる上、ナイフ機能がスプーンで掬ったものを口に運ぶ時に口を傷つける恐れがある。そこで、各機能を減殺させないで、スプーン機能、フォーク機能及びナイフ機能を備えた多機能飲食具を提供することを課題とする。
【課題を解決するための手段】
【０００５】
本考案者は、鋭意研究の結果、フォーク機能は先端部から中腹部の櫛歯機能でまかなえることができることに着目し、フォーク部中腹から後方にスプーン部を形成し、スプーン部の側面のいずれか一方を側方に膨出させて側方へのスプーンの掬い、飲む機能を持たせると、フォーク機能とスプーン機能とを融合させることができる。同時に、スプーンの膨出側とは反対の側面にフォーク先端から少なくともスプーン中腹にナイフ部を形成すると、フォークの機能、スプーンの機能を阻害することないナイフ部を形成することができる。これにより、各機能を減殺することなく、片手でも支障なくフォーク部の刺す、からめる機能、ナイフ部の切る機能、スプーン部の掬う機能を備えた多機能飲食具とすることを見出した。すなわち、本考案は、フォークと、スプーンと、ナイフとを一体化した多機能飲食具であって、フォーク部２の中腹から後方にスプーン部４を形成し、その側面のいずれか一方を側方に膨出させて膨出部４０を形成し、側方からのスプーンの掬い、飲む機能を持たせる一方、スプーンの膨出部とは反対の側面にフォーク部２の先端からスプーン部４の側方に沿って少なくともスプーン部中腹に至るナイフ部３を形成したことを特徴とする。
【考案の効果】
【０００６】
上述のように、フォーク部の中腹から後方にスプーン部を設け、そのスプーン部の側面のいずれか一方を側方に膨出させて膨出部４０を形成し、側方からのスプーンの掬い、飲む機能を持たせたので（図４）、長手方向に機能させるフォーク部の機能と膨出部により側方への掬取り機能を持ったスプーン部の機能とがお互いに阻害することがない。他方、ナイフ部３はスプーン側方膨出側とは反対側のフォーク部の側面の先端よりスプーン側面の中腹に延びて形成されることによりナイフの機能を十分に持たせることができ、ナイフ部の先端を使って肉類の切断も容易となる。本考案によれば、そのフォーク部の櫛歯内方に凸凹部２０ａを設けると、麺類の巻き取り時に絡め取り機能を向上させ、使い勝手がよくなる。本考案の飲食具は多機能であり、１本でスパゲティを絡めて食することができると同時に、主菜の内の肉をカットし、フォークで差し、魚をフォークでほぐし、スプーンで掬って食することができる。２本を同時に使用すれば、うどんやソーメンのめんつゆ付けも可能であり、手つかみ民族を含め、世界のすべての食事形態に合う多機能飲食具を提供することができる。
【０００７】
具体的に、本考案の多機能飲食具によれば、スプーン機能と、フォーク機能と、ナイフ機能を備えるので、どんな料理もこの多機能飲食具で食べることができる。また、不器用となる高齢者でも多機能を備えるので使いやすいものとなり、介護用として優れるということができる。本考案の多機能飲食具は同時に２本を用いると、多彩な使用が可能となり、どのような料理にも対応できるという優れた有用性を示す。
【図面の簡単な説明】
【０００８】
【図１】本考案の多機能飲食具実施例を示す水平時の平面図
【図２】本考案の多機能飲食具の左側面図
【図３】本考案の多機能飲食具の右側面図
【図４】本考案の特徴である飲食具の使用時の説明図。
【考案を実施するための形態】
【０００９】
本考案の多機能飲食具は金属製、プラスチック製等の多機能飲食具とすることができ、金属平板を鍛造工程でプレス成型するか樹脂形成によりプラスチック射出成形にて製造することができる。
【実施例】
【００１０】
本考案にかかる多機能飲食具１はフォーク部２にスプーン機能とナイフ機能を持たせたものであって、フォーク部２の中腹から後方にスプーン部４を形成し、ついで、スプーン４の側面のいずれか一方を側方に膨出させて膨出部４０を形成する。これにより、側方からのスプーンの掬い、飲む機能を持たせる。図１は右利き用の多機能飲食具であって、スプーンの膨出部４０は向かって左側に設け、反対の側面にフォーク部２の向かって右端のフォーク刃３０の先端からスプーン部４の側方に沿って少なくともスプーン部中腹に至るナイフ刃３０を形成してナイフ部３とする。左利きでは図１の対称形とすればよい。
【００１１】
スプーン部４からのフォーク部２の突出量Ｌ１はスプーン部長手方向全長Ｌ０の２分の１以上とするのが、フォーク部２の機能から望ましく、フォーク櫛歯２０の向かい合う内側には凹凸部２０ａを設けてフォーク櫛歯２０の長さが短くても充分な掻き取り、絡める機能を持つようにするのが好ましい。
【００１２】
スプーン部４の側方から膨出する膨出部４０は、その湾曲率がスプーン部の湾曲率より大きくなって、即ち浅くなって連続し、対称中心線Ｃに対する対称巾Ｗ０に対し膨出巾Ｗ１がその３分の１以上であるのがスプーンの掬い、飲む機能を持たせるのに好ましいことが見出されている。
【００１３】
本考案の多機能飲食具によれば、フォーク部の機能に、フォーク部の機能を阻害しない中腹から後方にスプーン機能を持たせる。更に麺類をからめとる用途にフォーク部２のフォーク櫛歯２０の内面に凹凸部２０ａを施し、からめとり機能を持たせる。したがって、向かって右端のフォーク刃はやや太くし、その外側にはスプーン中腹に至るナイフ刃３０を設けることができる。本考案の多機能飲食具においては、フォーク部２のフォーク櫛歯２０の内側に凹凸を設けたので、特にからめ捕り部を設ける必要がなく、しかも側端のフォーク刃の先端からナイフ刃３０を設けて通常のナイフ機能を持たせることができる。そして、ナイフ部３の反対側にスプーン部４の膨出部４０を設けたので、スプーン部４の横使いが可能となり（図４）、ナイフ部３の障害が全くなく、通常のスプーンと同様に、通常の掬い、飲む機能を達成することができる。なお、スプーン本体は図４の横使いの時の使い勝手を良くするため、丸、多角形状の柄もの５をスプーン本体に取り付けるのが良い。
【符号の説明】
【００１４】
１    多機能飲食具
２    フォーク部
２０  フォーク櫛歯
３    ナイフ部
３０  ナイフ刃
４    スプーン部
４０  膨出部
５    スプーン柄
【図１】
0003215305.tif 000003
【図２】
0003215305.tif 000004
【図３】
0003215305.tif 000005
【図４】
0003215305.tif 000006